(57)【要約】      （修正有）【課題】手提げバッグのファッション性を失うことがなく、独自性を強調した利便性とファッションの両面から満足できる手提げバッグとバッジのセットを提供する。【解決手段】上部が開口した袋体１１の外表面部１３及び外背面部１４の開口端縁部１５にそれぞれ手提げ部材１６を設け、外表面部側１３に地域地図または万年カレンダーを印刷した印刷部１７を設けるとともに、外背面部１４側には、前記印刷部１７の任意箇所に装着する着脱自在なバッジ１８を保持する。使用時は、前記バッジ１８を外背面部から取り外して前記印刷部１７に装着する。【選択図】図１
0003184210.tif 000002
【実用新案登録請求の範囲】
【請求項１】
上部が開口した袋体表面部及び背面部の開口端縁部にそれぞれ手提げ部材を設けた袋体と、前記袋体の外表面部側に地域地図または万年カレンダーを印刷した印刷部を設けるとともに、前記袋体の外背面部側には、前記印刷部の任意箇所に装着する着脱自在なバッジを保持してなり、使用時において、前記バッジを前記印刷部にそれぞれ装着可能としたことを可能としたことを特徴とする手提げバッグ。
【請求項２】
前記バッジの表面頭部に観光案内所、地下鉄駅、バス停、船着場、駐車場、飲食店、買い物店舗、歴史建造物、公衆トイレ、レンタルサイクル、喫煙場所、コンビニ店、撮影スポットなどから郡から選択されるロケーション・マーク及び万年カレンダーを構成する月・曜日・・休日・記念日及び特定日からなる群から選択されるカレンダー指定項目・マーク及び個別の予定を示すフェバリット・マークが装着可能とされていることを特徴とする請求項1に記載の手提げバッグ。
【請求項３】
前記バッジがメンファスナー、ボタン、ホック、マグネット及びピンからなる群から選択される係止部を有するバッジから構成されていることを特徴とする請求項1又は請求項２に記載の手提げバッグ。
【考案の詳細な説明】
【技術分野】
【０００１】
本考案は、主にコットンや帆布等を用いたバッグに係り、特にバッグの外表面部をキャンバスに見立てて、用途の異なるデザインを施せるようにしたことを可能とした手提げバッグに関する。
本考案は外表面部に任意の地域地図、あるいは万年カレンダーなどのデザインとしての印刷部を施してなり、且つバッグの外背面部に前記地域地図のスポット、あるいはカレンダーの該当月、曜日、祭日を示す位置に装着可能とする着脱自在なバッジを備えると共に、前記外表面部側に印刷した地域地図である印刷部の任意スポット位置に又はカレンダーの該当月、曜日、祭日を示す位置に、外背面部側に保持したバッジを取り外してこれを装着することにより使用者の目印あるいは記念場所としたり、万年カレンダーの該当月、曜日、祭日とすることが可能な手提げバッグに関するものである。
【背景技術】
【０００２】
従来、バッグには様々な種類のデザインのバッグが提案されているが、バッグの外表面部に施された模様は刺繍や染色あるいはゴブラン織りにより装飾の図柄が施されており、限定された特定模様のものとなっている。従って装飾模様が変化に乏しいものとなっており、独自性を強調するような手提げバッグが提供されていない現状にある。
【０００３】
また、これまでバッグの形状を改変して使用勝手を良くした構造のバッグが種々提案されている。例えば実用新案登録第３０９３１６７号の考案においては、ベルト又はストラップに装飾が着脱自在に装着できる形式のバッグが提案されている。
【０００４】
さらには、実用新案登録第３０９４４６３号の考案のように、バッグの開口部に防犯装備を施したバッグが提案されている。
【先行技術文献】
【特許文献】
【０００５】
【特許文献１】登録実用新案第３０９３１６７号公報
【特許文献２】登録実用新案第３０９４４６３号公報
【考案の概要】
【考案が解決しようとする課題】
【０００６】
しかるに、手提げバッグのファッション性を失うことがなく、独自性を強調してユーザーの演出を楽しむことができ、且つ利便性とファッションの両面から満足できる製品は未だ提案されていない現状にある。
【０００７】
本考案は、バッグの外表面部にデザイン性を有するように任意の地域地図、あるいは万年カレンダーを印刷などの手段により印刷部を施してなり、且つバッグの外背面部に前記地域地図である印刷部のスポット、あるいはカレンダーの該当月、曜日、休日を示す位置に装着可能とする着脱可能なバッジを保持して備えると共に、前記外表面部側に印刷した印刷部の任意スポット位置に、外背面部側に保持したバッジを取り外してこれを装着することにより使用者の目印あるいは記念場所としたり、万年カレンダーとして、該当特定日とすることが可能なファッション性並びに利便性の優ぐれた手提げバッグを提供しようとするものである。
【課題を解決するための手段】
【０００８】
上記目的を達成するために、請求項１に記載の手提げバッグは、上部が開口した袋体表面部及び背面部の開口端縁部にそれぞれ手提げ部材を設けた袋体と、前記袋体の外表面部側に地域地図または万年カレンダーを印刷した印刷部を設けるとともに、前記袋体の外背面部側には、前記印刷部の任意箇所に装着する着脱自在なバッジを保持してなり、使用時において、前記バッジを前記印刷部にそれぞれ装着可能としたことを可能としたことを特徴とする。
【０００９】
この考案の請求項２に記載の手提げバッグは、前記バッジの表面に観光案内所、地下鉄駅、バス停、船着場、駐車場、飲食店、買い物店舗、歴史建造物、公衆トイレ、レンタルサイクル、喫煙場所、コンビニ店、撮影スポットなどからなる群から選択されるロケーション・マーク及び万年カレンダーを構成する月・曜日・休日・記念日及び特定日からなる群から選択されるカレンダー指定項目・マークと個別の予定を示すフェバリット・マークが装着可能とされていることを特徴とする。
【００１０】
この考案の請求項３に記載の手提げバッグは、前記バッジがメンファスナー、ボタン、ホック、マグネット及びピンからなる群から選択される係止部を有するバッジから構成されていることを特徴とする。
【考案の効果】
【００１１】
本考案に係る手提げバッグは、上部が開口した袋体表面部、背面部の開口端縁部にそれぞれ手提げ部材を設けた袋体と、前記袋体の外表面部側に地域地図または万年カレンダーを印刷した印刷部を設けるとともに、前記袋体の外背面部側には、前記印刷部の任意箇所に装着する着脱自在のバッジを取り付けてなり、使用時において、前記バッジを前記印刷部に装着可能とした構成としたので、前記表面部側に印刷した任意のスポット位置に、裏面部側に保持したバッジを取り外してこれを装着することにより使用者の目印あるいは記念場所を特定したり、カレンダーの該当特定日とすることが可能なファッション性並びに利便性あるいは独自性の優ぐれた手提げバッグとすることができる効果がある。
【図面の簡単な説明】
【００１２】
【図１】本考案の手提げカバンの第１実施の形態における地域地図を印刷した印刷部にバッジを装着した状態を示す斜視図である。
【図２】本考案の手提げカバンの第１実施の形態における地域地図を印刷した印刷部に装着するバッジを保持した状態の正面斜視図である。
【図３】本考案の手提げカバンの第１実施の形態における地域地図を印刷した印刷部に装着するバッジを保持した状態の背面斜視図である。
【図４】本考案の手提げカバンの第２実施の形態における地域地図を印刷した印刷部にバッジを装着した状態の斜視図である。
【図５】本考案の手提げカバンの第２実施の形態における万年カレンダーを印刷した状態の正面斜視図である。
【図６】本考案の手提げカバンの第２実施の形態における万年カレンダーを印刷した印刷部に装着するバッジを保持した状態の背面斜視図である。
【考案を実施するための最良の形態】
【００１３】
次に、本考案の手提げカバンに係る第１実施の形態について、図１〜３を参照して説明する。
【００１４】
本考案に係る手提げカバン１０は、コットン・帆布等厚手の生地を所定の大きさに裁断によって成形された袋体１１からなり、両側面部及び底面部には中央部で折り込んだマチ部１２を有し、外表面部１３及び外背面部１４の開口縁部１５、１５には袋体１１と同様の素材で形成した細幅紐状の手提げ部材１６がそれぞれ設けられている。
【００１５】
そして、前記外表面部１３には全体的に印刷の手段により所望地域の地域地図である印刷部１７が描かれている。
また、前記外背面部には、地域地図部の特定位置の所在が確認できるようにするため、上平面部に観光案内所、地下鉄駅、バス停、船着場、駐車場、飲食店、買い物店舗、歴史建造物、公衆トイレ、レンタルサイクル、喫煙場所、コンビニ店、撮影スポットなどの所在地を示す目印を表示した扁平頭部を有するピンバッジからなる複数のバッジ１８が保持されている。
【００１６】
従って、使用者が手提げバッグ１０を購入した時、前記外背面部１４に保持された所望のバッジ１８を取り外し、前記外表面部１３に印刷された地域地図の印刷部１７に装着して完成させて使用するようになっている。
【００１７】
前記バッジ１８は使用者が行くお気に入りの店舗や散歩コースを特定するために使用できるし、記念場所としてバッジ１８を装着することができる。
なお、この実施例では印刷部に装着する目印をピンバッジについて説明したが、メンファスナー、ボタン、ホック、マグネット、面ファスナーなどを用いたバッジとすることも可能であることは勿論である。
【００１８】
前記第１の実施形態によれば、手提げバッグに利便性を期待できるし、独自のファッション性も期待できるものである。
【００１９】
次に本考案の第２の実施形態について図４〜６を参照して説明する。
なお、第２実施形態において前記第１実施形態と同一部分は一部同一記号を付して説明する。
第２実施例は、手提げカバン１０の外表面部１３に万年カレンダー１９を印刷した印刷部２０を有する手提げカバン１０を示したものである。
第２実施例にあっては、前記第１実施例と異なる点は袋体１１の外表面部１３に地域地図１７に変えて万年カレンダー１９を印刷した印刷部２０としたことにある。
【００２０】
前記万年カレンダー１９は、外表面部１３に幅方向に７個、上下方向に、５個の矩形状のマス目２１を形成し、各マス目２１の各上部には１〜３１の日付を表示する暦日の数字２２が記載されるとともに、各マス目２１の欄外には曜日を表示する曜日目印２３が印刷されており、更に曜日目印２３の上部には月を表示する月目印２４が印刷されたものである。
【００２１】
そして、前記外背面部にはカレンダーマークとしてバッジの表面部にカレンダー指定項目・マークとしての曜日２３ａ・月２４ａ・休日２５ａを表示したピンバッジ１８が、また個別の予定を示すフェバリット・マークとしてバッジの表面部に記念日２６ａ・休日２５ａ・特定日２７ａが表示されたピンバッジ１８が保持されている。
従って、使用者が手提げバッグ１０を購入した時、前記外背面部１４に保持されたピンバッジからなるバッジ１８を取り外し、前記外表面部１３に印刷された万年カレンダー１９にロケーション・マーク及びフェバリット・マークが表示されたピンバッジ１８を貼り付けて完成させて使用するようになっている。
【００２２】
前記ピンバッジからなるバッジ１８を装着した万年カレンダー１９によれば、日付２２ａ・曜日２３ａがすぐに特定できるカレンダーとして利用でき、利便性並びに機能性の優れた手提げカバン１０とすることが出来きる。
【００２３】
なお、この第２実施例においても印刷部２０に装着する目印をピンバッジからなるバッジ１８について説明したが、メンファスナー、ボタン、ホック、マグネット、面ファスナーなどを用いたバッジ１８とすることも可能であることは勿論である。
【００２４】
なお、前記第１、第２実施例においては、手提げバッグ（トートバッグ）について説明したがショルダーバッグについても適用できることは勿論である。
【符号の説明】
【００２５】
１０  手提げバッグ
１１  袋体
１２  マチ部
１３  外表面部
１４  外背面部
１５  開口縁部
１６  手提げ部材
１７  印刷部
１８  バッジ
１９  万年カレンダー
２０  印刷部
２１  マス目
２２  数字目印
２３  曜日目印
２４  月目印
２５  休日目印
２６  記念日目印
２７  特定日目印
２３ａ  曜日
２４ａ  月
２５ａ  休日
２６ａ  記念日
２７ａ  特定日
【図１】
0003184210.tif 000003
【図２】
0003184210.tif 000004
【図３】
0003184210.tif 000005
【図４】
0003184210.tif 000006
【図５】
0003184210.tif 000007
【図６】
0003184210.tif 000008
【手続補正書】
【提出日】平成25年4月9日(2013.4.9)
【手続補正１】
【補正対象書類名】実用新案登録請求の範囲
【補正対象項目名】全文
【補正方法】変更
【補正の内容】
【実用新案登録請求の範囲】
【請求項１】
上部が開口した袋体表面部及び背面部の開口端縁部にそれぞれ手提げ部材を設けた袋体と、前記袋体の外表面部側に地域地図または万年カレンダーを印刷した印刷部を設けるとともに、前記袋体の外背面部側には、前記印刷部の任意箇所に装着する着脱自在なバッジを保持してなり、使用時において、前記バッジを前記印刷部にそれぞれ装着可能としたことを可能としたことを特徴とする手提げバッグとバッジのセット。
【請求項２】
前記バッジの表面頭部に観光案内所、地下鉄駅、バス停、船着場、駐車場、飲食店、買い物店舗、歴史建造物、公衆トイレ、レンタルサイクル、喫煙場所、コンビニ店、撮影スポットなどから郡から選択されるロケーション・マーク及び万年カレンダーを構成する月・曜日・・休日・記念日及び特定日からなる群から選択されるカレンダー指定項目・マーク及び個別の予定を示すフェバリット・マークが装着可能とされていることを特徴とする請求項1に記載の手提げバッグとバッジのセット。
【請求項３】
前記バッジがメンファスナー、ボタン、ホック、マグネット及びピンからなる群から選択される係止部を有するバッジから構成されていることを特徴とする請求項1又は請求項２に記載の手提げバッグとバッジのセット。
【手続補正２】
【補正対象書類名】明細書
【補正対象項目名】全文
【補正方法】変更
【補正の内容】
【考案の詳細な説明】
【技術分野】
【０００１】
本考案は、主にコットンや帆布等を用いたバッグに係り、特にバッグの外表面部をキャンバスに見立てて、用途の異なるデザインを施せるようにしたことを可能とした手提げバッグとバッジのセットに関する。
本考案は外表面部に任意の地域地図、あるいは万年カレンダーなどのデザインとしての印刷部を施してなり、且つバッグの外背面部に前記地域地図のスポット、あるいはカレンダーの該当月、曜日、祭日を示す位置に装着可能とする着脱自在なバッジを備えると共に、前記外表面部側に印刷した地域地図である印刷部の任意スポット位置に又はカレンダーの該当月、曜日、祭日を示す位置に、外背面部側に保持したバッジを取り外してこれを装着することにより使用者の目印あるいは記念場所としたり、万年カレンダーの該当月、曜日、祭日とすることが可能な手提げバッグとバッジのセットに関するものである。
【背景技術】
【０００２】
従来、バッグには様々な種類のデザインのバッグが提案されているが、バッグの外表面部に施された模様は刺繍や染色あるいはゴブラン織りにより装飾の図柄が施されており、限定された特定模様のものとなっている。従って装飾模様が変化に乏しいものとなっており、独自性を強調するような手提げバッグが提供されていない現状にある。
【０００３】
また、これまでバッグの形状を改変して使用勝手を良くした構造のバッグが種々提案されている。例えば実用新案登録第３０９３１６７号の考案においては、ベルト又はストラップに装飾が着脱自在に装着できる形式のバッグが提案されている。
【０００４】
さらには、実用新案登録第３０９４４６３号の考案のように、バッグの開口部に防犯装備を施したバッグが提案されている。
【先行技術文献】
【特許文献】
【０００５】
【特許文献１】登録実用新案第３０９３１６７号公報
【特許文献２】登録実用新案第３０９４４６３号公報
【考案の概要】
【考案が解決しようとする課題】
【０００６】
しかるに、手提げバッグのファッション性を失うことがなく、独自性を強調してユーザーの演出を楽しむことができ、且つ利便性とファッションの両面から満足できる製品は未だ提案されていない現状にある。
【０００７】
本考案は、バッグの外表面部にデザイン性を有するように任意の地域地図、あるいは万年カレンダーを印刷などの手段により印刷部を施してなり、且つバッグの外背面部に前記地域地図である印刷部のスポット、あるいはカレンダーの該当月、曜日、休日を示す位置に装着可能とする着脱可能なバッジを保持して備えると共に、前記外表面部側に印刷した印刷部の任意スポット位置に、外背面部側に保持したバッジを取り外してこれを装着することにより使用者の目印あるいは記念場所としたり、万年カレンダーとして、該当特定日とすることが可能なファッション性並びに利便性の優ぐれた手提げバッグとバッジのセットを提供しようとするものである。
【課題を解決するための手段】
【０００８】
上記目的を達成するために、請求項１に記載の手提げバッグとバッジのセットは、上部が開口した袋体表面部及び背面部の開口端縁部にそれぞれ手提げ部材を設けた袋体と、前記袋体の外表面部側に地域地図または万年カレンダーを印刷した印刷部を設けるとともに、前記袋体の外背面部側には、前記印刷部の任意箇所に装着する着脱自在なバッジを保持してなり、使用時において、前記バッジを前記印刷部にそれぞれ装着可能としたことを可能としたことを特徴とする。
【０００９】
この考案の請求項２に記載の手提げバッグとバッジのセットは、前記バッジの表面に観光案内所、地下鉄駅、バス停、船着場、駐車場、飲食店、買い物店舗、歴史建造物、公衆トイレ、レンタルサイクル、喫煙場所、コンビニ店、撮影スポットなどからなる群から選択されるロケーション・マーク及び万年カレンダーを構成する月・曜日・休日・記念日及び特定日からなる群から選択されるカレンダー指定項目・マークと個別の予定を示すフェバリット・マークが装着可能とされていることを特徴とする。
【００１０】
この考案の請求項３に記載の手提げバッグとバッジのセットは、前記バッジがメンファスナー、ボタン、ホック、マグネット及びピンからなる群から選択される係止部を有するバッジから構成されていることを特徴とする。
【考案の効果】
【００１１】
本考案に係る手提げバッグとバッジのセットは、上部が開口した袋体表面部、背面部の開口端縁部にそれぞれ手提げ部材を設けた袋体と、前記袋体の外表面部側に地域地図または万年カレンダーを印刷した印刷部を設けるとともに、前記袋体の外背面部側には、前記印刷部の任意箇所に装着する着脱自在のバッジを取り付けてなり、使用時において、前記バッジを前記印刷部に装着可能とした構成としたので、前記表面部側に印刷した任意のスポット位置に、裏面部側に保持したバッジを取り外してこれを装着することにより使用者の目印あるいは記念場所を特定したり、カレンダーの該当特定日とすることが可能なファッション性並びに利便性あるいは独自性の優ぐれた手提げバッグとバッジのセットとすることができる効果がある。
【図面の簡単な説明】
【００１２】
【図１】本考案の手提げカバンとバッジのセットの第１実施の形態における地域地図を印刷した印刷部にバッジを装着した状態を示す斜視図である。
【図２】本考案の手提げカバンとバッジのセットの第１実施の形態における地域地図を印刷した印刷部に装着するバッジを保持した状態の正面斜視図である。
【図３】本考案の手提げカバンとバッジのセットの第１実施の形態における地域地図を印刷した印刷部に装着するバッジを保持した状態の背面斜視図である。
【図４】本考案の手提げカバンとバッジのセットの第２実施の形態における地域地図を印刷した印刷部にバッジを装着した状態の斜視図である。
【図５】本考案の手提げカバンとバッジのセットの第２実施の形態における万年カレンダーを印刷した状態の正面斜視図である。
【図６】本考案の手提げカバンとバッジのセットの第２実施の形態における万年カレンダーを印刷した印刷部に装着するバッジを保持した状態の背面斜視図である。
【考案を実施するための最良の形態】
【００１３】
次に、本考案の手提げカバンとバッジのセットに係る第１実施の形態について、図１〜３を参照して説明する。
【００１４】
本考案に係る手提げカバンとバッジのセット１０は、コットン・帆布等厚手の生地を所定の大きさに裁断によって成形された袋体１１からなり、両側面部及び底面部には中央部で折り込んだマチ部１２を有し、外表面部１３及び外背面部１４の開口縁部１５、１５には袋体１１と同様の素材で形成した細幅紐状の手提げ部材１６がそれぞれ設けられている。
【００１５】
そして、前記外表面部１３には全体的に印刷の手段により所望地域の地域地図である印刷部１７が描かれている。
また、前記外背面部には、地域地図部の特定位置の所在が確認できるようにするため、上平面部に観光案内所、地下鉄駅、バス停、船着場、駐車場、飲食店、買い物店舗、歴史建造物、公衆トイレ、レンタルサイクル、喫煙場所、コンビニ店、撮影スポットなどの所在地を示す目印を表示した扁平頭部を有するピンバッジからなる複数のバッジ１８が保持されている。
【００１６】
従って、使用者が手提げバッグとバッジのセット１０を購入した時、前記外背面部１４に保持された所望のバッジ１８を取り外し、前記外表面部１３に印刷された地域地図の印刷部１７に装着して完成させて使用するようになっている。
【００１７】
前記バッジ１８は使用者が行くお気に入りの店舗や散歩コースを特定するために使用できるし、記念場所としてバッジ１８を装着することができる。
なお、この実施例では印刷部に装着する目印をピンバッジについて説明したが、メンファスナー、ボタン、ホック、マグネット、面ファスナーなどを用いたバッジとすることも可能であることは勿論である。
【００１８】
前記第１の実施形態によれば、手提げバッグに利便性を期待できるし、独自のファッション性も期待できるものである。
【００１９】
次に本考案の第２の実施形態について図４〜６を参照して説明する。
なお、第２実施形態において前記第１実施形態と同一部分は一部同一記号を付して説明する。
第２実施例は、手提げカバンとバッジのセット１０の外表面部１３に万年カレンダー１９を印刷した印刷部２０を有する手提げカバンとバッジのセット１０を示したものである。
第２実施例にあっては、前記第１実施例と異なる点は袋体１１の外表面部１３に地域地図１７に変えて万年カレンダー１９を印刷した印刷部２０としたことにある。
【００２０】
前記万年カレンダー１９は、外表面部１３に幅方向に７個、上下方向に、５個の矩形状のマス目２１を形成し、各マス目２１の各上部には１〜３１の日付を表示する暦日の数字２２が記載されるとともに、各マス目２１の欄外には曜日を表示する曜日目印２３が印刷されており、更に曜日目印２３の上部には月を表示する月目印２４が印刷されたものである。
【００２１】
そして、前記外背面部にはカレンダーマークとしてバッジの表面部にカレンダー指定項目・マークとしての曜日２３ａ・月２４ａ・休日２５ａを表示したピンバッジ１８が、また個別の予定を示すフェバリット・マークとしてバッジの表面部に記念日２６ａ・休日２５ａ・特定日２７ａが表示されたピンバッジ１８が保持されている。
従って、使用者が手提げバッグとバッジのセット１０を購入した時、前記外背面部１４に保持されたピンバッジからなるバッジ１８を取り外し、前記外表面部１３に印刷された万年カレンダー１９にロケーション・マーク及びフェバリット・マークが表示されたピンバッジ１８を貼り付けて完成させて使用するようになっている。
【００２２】
前記ピンバッジからなるバッジ１８を装着した万年カレンダー１９によれば、日付２２ａ・曜日２３ａがすぐに特定できるカレンダーとして利用でき、利便性並びに機能性の優れた手提げカバン１０とすることが出来きる。
【００２３】
なお、この第２実施例においても印刷部２０に装着する目印をピンバッジからなるバッジ１８について説明したが、メンファスナー、ボタン、ホック、マグネット、面ファスナーなどを用いたバッジ１８とすることも可能であることは勿論である。
【００２４】
なお、前記第１、第２実施例においては、手提げバッグ（トートバッグ）とバッジのセットについて説明したがショルダーバッグとバッジのセットについても適用できることは勿論である。
【符号の説明】
【００２５】
１０  手提げバッグとバッジのセット
１１  袋体
１２  マチ部
１３  外表面部
１４  外背面部
１５  開口縁部
１６  手提げ部材
１７  印刷部
１８  バッジ
１９  万年カレンダー
２０  印刷部
２１  マス目
２２  数字目印
２３  曜日目印
２４  月目印
２５  休日目印
２６  記念日目印
２７  特定日目印
２３ａ  曜日
２４ａ  月
２５ａ  休日
２６ａ  記念日
２７ａ  特定日